(57)【要約】【課題】  睡眠時無呼吸症候群の治癒の為、ＣＰＡＰ装置が使われる。しかしＣＰＡＰマスク１０３を装着時むず痒いような違和感があり、睡眠に入れない場合があり、ＣＰＡＰ装置の使用を断念せざるを得ない場合がある。要因である違和感を無くしＣＰＡＰ装置を有用化することが課題である。【解決手段】  上記課題を解決する為、ＣＰＡＰマスク１０３と顔の肌面１０５の間に繊維体と弾性体から成る緩衝部材を構成し及びＣＰＡＰマスク１０３の顔接触面側２に凹凸の模様形状を構成する事によって接触部位１０６の水分を吸収、蒸発、発散させＣＰＡＰマスク１０３の違和感軽減手段とした。【選択図】図１
2016052489.tif 000002
【特許請求の範囲】
【請求項１】
ＣＰＡＰマスクの顔接触面側２へ緩衝部材１２の設置と顔接触面側２自身への凹凸の模様形状１６の設置による違和感軽減手段を有するＣＰＡＰマスク。
【請求項２】
ＣＰＡＰマスクの顔接触面側２へ緩衝部材１２の設置による違和感軽減手段を有するＣＰＡＰマスク。
【請求項３】
ＣＰＡＰマスクの顔接触面側２自身への凹凸の模様形状１６の設置による違和感軽減手段を有するＣＰＡＰマスク。
【発明の詳細な説明】
【技術分野】
【０００１】  本発明は睡眠時無呼吸症候群などの疾患治療に使用されるＣＰＡＰ（Ｃｏｎｔｉｎｕｏｕｓ  Ｐｏｓｉｔｉｖｅ  Ａｉｒｗａｙ  Ｐｒｅｓｓｕｒｅ）装置に関するものである。
【背景技術】
【０００２】  睡眠時無呼吸症候群とは、睡眠時に咽頭部が弛緩等により塞がり、一時的に呼吸が停止し無呼吸になる症状と言われている。数十秒停止し、苦しくなり自身で回復する。一晩に数十回発生し覚醒も繰り返す為、睡眠が不足する。その結果日中の目が醒めている時に居眠りなどに陥りやすい。健康への影響もあり日常生活の不調に及ぶと言われている。特に自動車運転においては居眠り運転の要因とも指摘され、社会問題化している重大な疾病である。【０００３】  一方、ＣＰＡＰ装置とは睡眠時無呼吸症候群の治癒目的に利用されている医療器械である。図１０のように電源に接続し、旧ＣＰＡＰ駆動部１０１にて空気を集め、旧空気管１０２を経由し、旧ＣＰＡＰマスク１０３を装着している人に空気を供給する装置である。【０００４】  睡眠時無呼吸症候群の人は旧ＣＰＡＰマスク１０３を装着し、空気吸入を行い乍ら睡眠をとる。無呼吸状況になると旧ＣＰＡＰ駆動部１０１は旧ＣＰＡＰマスク１０３内の空気圧の変化を感知し空気量を制御し、停止している呼吸を活動させる。しかし違和感があって、僅か３０分の装着も、睡眠もできず、睡眠中も無意識に旧ＣＰＡＰマスク１０３を顔から外してしまう。ＣＰＡＰ装置使用該当者のうち５０％は使用出来ないという記述も散見する。ＣＰＡＰ装置の恩恵の治癒手段を失う問題がある。
このような違和感の原因を明らかにし欠点軽減し、解決する目的で本発明を行った。
【先行技術文献】
【０００５】
【特許文献１】  特表２０１１−５２１７２２号公報
【発明の概要】
【発明が解決しようとする課題】
【０００６】  従来技術における旧ＣＰＡＰマスク１０３の違和感は、顔の肌面１０４がむず痒いような、蚊や蠅の虫が留まったような煩わしい感覚である。或いは我々がビニル合羽を着た際、合羽の内側の水分や汗を感ずる不快感に似ている違和感がある。従ってその要因を除き違和感軽減することが本発明の課題である。
【課題を解決するための手段】
【０００７】  図１１及び図１２にて違和感の感受状況を説明する。図１１中央部は人の鼻１０５で図理解の為の参考表示である。図１１の旧ＣＰＡＰマスク１０３と顔の肌面１０４の接触している接触部位１０６は図１２の接触幅１０７の幅で旧ＣＰＡＰマスク１０３の全周囲にあり、違和感はこの接触部位１０６に起きる。【０００８】  違和感の要因３つを以下に考察した。第１の要因は基本的に接触部位１０６は空気が漏れない様に平滑なゴムやプラスチック材質の旧ＣＰＡＰマスク１０３が顔の肌面１０４に蓋をするように覆っている為、旧ＣＰＡＰマスク１０３では皮膚呼吸は不十分である。従って、違和感の要因となる。下記２つの要因の対策において皮膚呼吸を可能にし、プラスチック材質の異質感も緩和し、違和感軽減手段とする。【０００９】  第２の要因は顔の肌面１０４から分泌される汗である。上記同様、接触部位１０６に蓋をしたように覆われ、汗の放散は進まず、接触部位１０６に残る。溜まった汗は隣り合う小滴が集合し、集合体となり旧ＣＰＡＰマスク１０３の接触部位１０６の領域内に水分の付着濡れ１０９が形成され、顔の肌面１０４に鬱陶しい刺激を与える為、顔の周りがむず痒いような違和感となる。【００１０】  第３の要因はマスク内側１０８の空気は呼気が混じり水分を含んでいる。その空気はマスク内側１０８の圧力で接触部位１０６下の顔の肌面１０４との小さな隙間から外側に僅かに漏れる。呼気から得た湿度ある空気は旧ＣＰＡＰマスク１０３の外側の空気に触れ、旧ＣＰＡＰマスク１０３に湿潤又は露結し汗と同様に水分の付着濡れ１０９となり違和感となる。【００１１】  上記の汗と呼気の水分の付着濡れ１０９は自然放置のままでは容易に発散せず、顔の肌面１０４への刺激が残り、違和感となる。違和感を無くすには水分の付着濡れ１０９を除却することである。従って、接触部位１０６の旧ＣＰＡＰマスク１０３と顔の肌面１０４との間に水分を放散し易い繊維体である紙やガーゼ布を緩衝部材を設け、更に旧ＣＰＡＰマスク１０３自身へ、水分を放散しやすい凹凸の模様形状を設け、接触部位１０６の水分の除却によって違和感軽減手段が必要である。【００１２】  上記から本発明では下記の請求項のごとく課題解決手段とした。
「請求項１」はＣＰＡＰマスクの顔接触面側２へ緩衝部材１２の設置と顔接触面側２自身への凹凸の模様形状１６の設置による違和感軽減手段を有するＣＰＡＰマスク。「請求項２」はＣＰＡＰマスクの顔接触面側２へ緩衝部材１２の設置による違和感軽減手段を有するＣＰＡＰマスク。「請求項３」はＣＰＡＰマスクの顔接触面側２自身への凹凸の模様形状１６の設置による違和感軽減手段を有するＣＰＡＰマスクである。
【発明の効果】
【００１３】  効果の第１は水分の付着濡れの水分除却にて吸収、蒸発、発散し、さらさらとした乾性の感覚を得ることが可能となり、課題の違和感を無くした。第２は違和感が無くなり、従来に比較して快適になり、睡眠中にＣＰＡＰマスクを無意識に外すことは無く、朝まで装着可能となりＣＰＡＰ装置の機能を発揮した。第３は繊維体と弾性体の構成はＣＰＡＰマスクへの脱着が独立ユニットとして簡単に扱えた。第４は緩衝部材の洗浄し易く、衛生管理の行き届いたＣＰＡＰマスクとした。第５は睡眠終了までＣＰＡＰマスクが装着可能となり、他の健康疾病までも向上し、例えば頻尿回数が１００％から３０％以下まで向上した。この結果から専門医家の意見では他の病気も改善できる評価を受けている。
【図面の簡単な説明】
【００１４】
【図１】は本発明実施例１のＣＰＡＰマスクの斜視図、ガーゼ布３は一部破断表示した。
【図２】は本発明図１ＡＢにおけるＡＢ断面図である。
【図３】は本発明図２におけるＣ部分を拡大した斜視図である。
【図４】は本発明図３におけるＥ部分を拡大した斜視図である。
【図５】は本発明実施例１の緩衝部材の斜視図、ガーゼ布３は一部破断表示した。
【図６】は本発明実施例２の凸形状１３の部分斜視図である。
【図７】は本発明実施例２の凹形状１４の部分斜視図である。
【図８】は本発明実施例２のスジ目１５の部分斜視図である。
【図９】は本発明実施例３の斜視図である。緩衝部材１２は一部破断表示した。
【図１０】は従来のＣＰＡＰマスクの装着姿を示す斜視図である。
【図１１】は従来のＣＰＡＰマスク図１０のＫＬにおけるＫＬ断面図である
【図１２】は従来のＣＰＡＰマスク図１１のＭ部分を拡大した断面図である。
【発明を実施するための形態】
【実施例１】
【００１５】  実施例１を図１中心に、図２、図３、図４、図５にて説明する。水分除却手段としてＣＰＡＰマスク１に取付けた緩衝部材１２は、繊維体のガーゼ布３と該ガーゼ布３両端に弾性体である外ばね４と内ばね５にて構成した。図２、図３のようにＣＰＡＰマスク１の外側に外ばね４を配置し、ＣＰＡＰマスク１の顔接触面側２をガーゼ布３が包むようにして、内ばね５をＣＰＡＰマスク１の内側、マスク空間６側に配置する。弾性体はガーゼ布３に皺や弛みが無いようにＣＰＡＰマスク１側へ付勢し沿わせて取付けている。図４のガーゼ布３は織物の格子の縦横繊維１１径を０．０５ｍｍ〜０．５ｍｍ、空隙１０を０．１〜２０ｍｍ２として、肌触り、通気性の良さに加えて水分の吸収、蒸発、発散性を利用している。図５のように緩衝部材１２は単独な形で扱い性を配慮した。上記以外のＣＰＡＰ装置の機素は従来と同様にマスク空間６を介して空気流入穴７がＣＰＡＰ駆動部８と空隙的に空気管９に繋げ構成している。【００１６】  本実施例１によれば、顔接触面側２に水分の付着濡れが起きた際、ガーゼ布３の縦横繊維１１が水分を細く分断し、分断した水分を吸収、蒸発、発散により気化し易くしている。水分の付着濡れを無くす事によってむず痒く、虫が止まったような違和感は無くす事が可能となった。従って、ＣＰＡＰマスク１を睡眠時中における無意識に取外す行動も無くす事ができ、緩衝部材設置による違和感軽減手段とした。
【実施例２】
【００１７】  実施例２は顔接触面側２自身に図６の凸形状１３や図７の凹形状１４や図８のスジ目１５の模様形状１６を設置した。模様形状１６によってＣＰＡＰマスク１と顔との接触面積を少なくし、顔接触面側２へ通気性を与え、汗や水分の移動、吸収、蒸発、発散し易くし、水分の付着濡れの発生し難い顔接触面側２の水分を除却し違和感軽減する。派生としてＣＰＡＰマスク１の顔接触面側２に電気植毛工程により短い繊維をビロードのように植えつけ、模様形状１６にて水分除却する違和感軽減手段として活用可能である。
【実施例３】
【００１８】  実施例３は図９のように、緩衝部材１２である繊維体のガーゼ布３の長手方向両端部１８に弾性体である樹脂１７を含浸させ、成形工程にて一体化構成しＣＰＡＰマスク１へ取付ける。構成は実施例１に類似であり、特徴はガーゼ布のみの構成に見え製造工程も少なく、脱着などの取扱いも簡単のように見える心理的利点のある違和感軽減手段である。【００１９】  以上、３個の実施例はＣＰＡＰマスクと顔の接触部位１０６の汗や水分を除却によって違和感を軽減する違和感軽減手段である。ＣＰＡＰマスク１違和感軽減手段によってＣＰＡＰ装置を有用化する発明とした。
【産業上の利用可能性】
【００２０】  肌と接触しその接触部の水分の付着濡れが問題になる産業は他にもある。例えばメガネ、時計などの身装品を始めとして身体に接触する医療器具用品、家具、事務用品、電化製品などの産業に快適性向上の手段として利用できる。
【符号の説明】
【００２１】１      ＣＰＡＰマスク
２      顔接触面側
３      ガーゼ布
４      外ばね
５      内ばね
６      マスク空間
７      空気流入穴
８      ＣＰＡＰ駆動部
９      空気管
１０    空隙
１１    縦横繊維
１２    緩衝部材
１３    凸形状
１４    凹形状
１５    スジ目
１６    模様形状
１７    樹脂
１８    両端部
１０１  旧ＣＰＡＰ駆動部
１０２  旧空気管
１０３  旧ＣＰＡＰマスク
１０４  顔の肌面
１０５  鼻
１０６  接触部位
１０７  接触幅
１０８  マスク内側
１０９  水分の付着濡れ
【図１】
2016052489.tif 000003
【図２】
2016052489.tif 000004
【図３】
2016052489.tif 000005
【図４】
2016052489.tif 000006
【図５】
2016052489.tif 000007
【図６】
2016052489.tif 000008
【図７】
2016052489.tif 000009
【図８】
2016052489.tif 000010
【図９】
2016052489.tif 000011
【図１０】
2016052489.tif 000012
【図１１】
2016052489.tif 000013
【図１２】
2016052489.tif 000014